(57)【要約】【課題】安価に製造できる光クロージャを提供する。【解決手段】複数本の光ケーブルを撚り合わせた集合体（集合光ケーブル）から分岐させた第１の光ケーブル２Ａとこれに接続される加入者宅側の第２の光ケーブル５との光接続部１７を収納保護する光クロージャであって、閉じ合わせた時に概ね円筒形状をなす開閉可能な２つの分割片８、９からなるとともに、各分割片８、９は両端部に、閉じ合わせた時に第１又は第２の光ケーブル２Ａ、５の被覆部２ｄ、５ｄを嵌合させて固定する光ケーブル固定用溝１１、１２を有し、かつ、前記両端部を除く中間部分には、閉じ合わせた時に、支持線固定構造や仕切りを持たない単一の広い内部空間を形成する凹所１３、１４を有している。各分割片８、９は構造が極めて簡単で樹脂成形が容易で、安価に製造できる。【選択図】図２
2009020221.tif 000002
【特許請求の範囲】
【請求項１】
複数本の光ケーブルを撚り合わせた集合体から分岐させた第１の光ケーブルとこれに接続される第２の光ケーブルとの光接続部を収納保護する光クロージャであって、
閉じ合わせた時に概ね円筒形状をなす開閉可能な２つの分割片からなるとともに、各分割片は、両端部に、閉じ合わせた時に第１又は第２の光ケーブルの被覆部を嵌合させて固定する光ケーブル固定用溝を有し、かつ、前記両端部を除く中間部分には、閉じ合わせた時に支持線固定構造や仕切りを持たない単一の広い内部空間を形成する凹所を有することを特徴とする光クロージャ。
【請求項２】
２つの分割片が薄肉ヒンジ部を介して連結された樹脂一体成形品であり、閉じ合わせた時の両端部を除く中間部分の外面が円筒面で内面が凹凸のない面からなることを特徴とする請求項１記載の光クロージャ。
【請求項３】
請求項１又は２の光クロージャを用いて、複数本の光ケーブルを撚り合わせた集合体から光ケーブルを分岐させ加入者宅に光配線する光配線方法であって、
前記光クロージャは、前記集合体の引落し点に固定され、前記第１の光ケーブルと加入者宅側に延びる第２の光ケーブルとの光接続部を、前記光クロージャの内部空間に単に収納し、かつ、両光ケーブルの被覆部を前記光ケーブル固定用溝内に単に嵌合固定し、この光クロージャは当該集合光ケーブルに沿う姿勢で、前記集合体の引落し点に固定部材により固定することを特徴とする集合光ケーブルから加入者宅への光配線方法。
【請求項４】
前記固定部材が結束バンド又は縛り紐であることを特徴とする請求項３記載の集合光ケーブルから加入者宅への光配線方法。
【発明の詳細な説明】
【技術分野】
【０００１】
この発明は、複数本の光ケーブルを単に撚り合わせただけの集合体から加入者宅等に分岐光配線するための光クロージャ、及び光配線方法に関する。
【背景技術】
【０００２】
光通信網において、加入者への引き落としは、通常は、光通信線路に設けた光クロージャからドロップケーブルを用いて行われる。また、局から光クロージャまでは一般に、スロットロッドに複数のスロットを設けた多心のスロットケーブルを用いた先行配線が行われている。光クロージャ内では、光コネクタや融着やメカニカルスプライスによる接続により、ドロップケーブルと幹線光ケーブルから取り出した光ファイバとの接続がなされる。
一方、加入者の分布密度が小さい地域等への光配線には、多心のスロットケーブルではなく、１心又は２心の光ケーブルの複数本を鋼心の回りに単に撚り合わせてなる集合体（以下、集合光ケーブルという場合がある）により先行配線を行う場合がある。すなわち、この集合光ケーブルは複数本のドロップケーブルを集合した構造ということができる。この場合、集合光ケーブルは、通常の光ケーブルのように全体を覆うシースがなく、構成単位となる光ケーブル自体が耐候性の有るシースで覆われているから、加入者宅への引き落としは、通常の光ケーブルで採用されているように、ケーブルから光ファイバ心線を取り出す方式の複雑な構成の光クロージャからの引き落としではなく、直接配線、すなわち、集合光ケーブルを構成する１心又は２心の１本の光ケーブルを集合光ケーブルから、そのまま単に分岐させるとともに、この分岐させた光ケーブルと加入者宅側へ延長するための延長光ケーブルとを光接続する方式となる。したがって、この集合光ケーブルからの引き落としの場合にも、延長用光ケーブルとの光接続部を保護する簡易な光クロージャが必要となる。
【０００３】
ところで、簡易な光クロージャとして、特許文献１に記載された構造の光クロージャ３０がある。この光クロージャ３０は、図９に示すように、樹脂成形されたフレーム３１とカバー３２とからなる全体として小型の開閉可能な円筒状をなし、フレーム３１側に、光ケーブルの被覆部を固定するための固定溝３３ａを持つ両端の光ケーブル固定部３３と、そのクロージャ長さ方向中央側の支持線固定部３４と、クロージャ長手方向中央近傍の接続部収容部３５とを設けた構造である。接続部収容部３５は、クロージャ幅方向中央の仕切り３６により区画されて、２個の光接続部を収納できるようになっている。この光クロージャ３０は、図１０に示すように、中央の２本の光ファイバ心線２ａ’とその両側のテンションメンバ２ｂ’とを支持線２ｅ’とともに樹脂被覆２ｄ’を施したドロップケーブル２’どうしの光接続部を保護する光クロージャである。
【特許文献１】特開２００５−１０７０１４（光ファイバケーブル接続用光クロージャ）
【発明の開示】
【発明が解決しようとする課題】
【０００４】
上記従来の光クロージャは、支持線付きで２心のドロップケーブル用であるが、内部に支持線固定部３４や仕切り３６を設けた複雑な構造となっており、光クロージャの製品コストが高いものとなる。
【０００５】
ところで、この種の簡易な光クロージャは、概ね同じ構造の１心又は２心の光ケーブル同士の接続部を収納し保護するものであるから、多心のスロットケーブルからの引き落としに用いる光クロージャのように複雑な構造を必要とせず、簡単な防水性能があれば十分である。
また、一般に、高所に張られた集合光ケーブルから分岐させた１本の光ケーブルと延長用光ケーブルとの光接続は加入者宅までのルート内の中間部で行われ、したがって、光クロージャは空中に浮いた状態となるが、特許文献１の光クロージャ３０のように単に光ケーブル同士を接続するのみで光クロージャの姿勢を支える機構がないものでは、光クロージャの向きが定まらないという問題が発生する。
ここで用いられる光クロージャは前記のように簡易防水でも機能は十分ではあるが、光クロージャの向きが定まらない状態で、光クロージャ内に水滴が溜まると予期せぬ通信障害が発生するおそれがある。
【０００６】
本発明は上記背景のもとになされたもので、集合光ケーブルを用いた配線方式において用いられる光クロージャとして、集合光ケーブルの引落し点に簡単に取り付けることができ光クロージャ本体を安価に製造することができる光クロージャを提供することを目的とする。また、光クロージャの姿勢安定が図られて、簡易防水構造でも問題の生じない、集合光ケーブルから加入者宅への光配線方法を提供することを目的とする。
【課題を解決するための手段】
【０００７】
上記課題を解決する請求項１の発明は、複数本の光ケーブルを撚り合わせた集合体から分岐させた第１の光ケーブルとこれに接続される第２の光ケーブルとの光接続部を収納保護する光クロージャであって、
閉じ合わせた時に概ね円筒形状をなす開閉可能な２つの分割片からなるとともに、各分割片は、両端部に、閉じ合わせた時に第１又は第２の光ケーブルの被覆部を嵌合させて固定する光ケーブル固定用溝を有し、かつ、前記両端部を除く中間部分には、閉じ合わせた時に支持線固定構造や仕切りを持たない単一の広い内部空間を形成する凹所を有することを特徴とする。
【０００８】
請求項２は、請求項１の光クロージャが、２つの分割片が薄肉ヒンジ部を介して連結された樹脂一体成形品であり、閉じ合わせた時の両端部を除く中間部分の外面が円筒面で内面が凹凸のない面からなることを特徴とする。
【０００９】
請求項３の発明は、請求項１又は２の光クロージャを用いて、複数本の光ケーブルを撚り合わせた集合体から光ケーブルを分岐させ加入者宅に光配線する光配線方法であって、
前記光クロージャは、前記集合体の引落し点に固定され、前記第１の光ケーブルと加入者宅側に延びる第２の光ケーブルとの光接続部を、前記光クロージャの内部空間に単に収納し、かつ、両光ケーブルの被覆部を前記光ケーブル固定用溝内に単に嵌合固定し、この光クロージャは当該集合光ケーブルに沿う姿勢で、前記集合体の引落し点に固定部材により固定することを特徴とする。
【００１０】
請求項４は、請求項３の光配線方法において、使用する固定部材が結束バンド又は縛り紐であることを特徴とする。
【発明の効果】
【００１１】
請求項１の発明の光クロージャによれば、各分割片が両端部に単なる光ケーブル固定用溝を有し、中間部に単なる凹所を有するものであるから、構造が極めて簡単で樹脂成形が容易であり、光クロージャの製品コストを大幅に低減できる。
特に、請求項２のような形状の樹脂一体成形品とすれば、一層の製品コスト低減を図ることができる。
【００１２】
請求項３の光配線方法によれば、加入者への引落し点に簡単に固定できるだけでなく、光クロージャが集合光ケーブルに当該集合光ケーブルに沿う姿勢で細長結束材により結束固定されるので、光クロージャを水平な姿勢に保つことができるとともに、２つの分割片を合わせたクロージャの合わせ目を下にした姿勢に保つことができる。
したがって、光クロージャが集合光ケーブルと加入者宅との中間で空中に浮いた状態となる従来配線方式と異なり、光クロージャの姿勢（傾き及び回転角度）が定まらないという問題は生じない。したがって、光ケーブルの被覆部をクロージャ両端の光ケーブル固定用溝に単に嵌合させるという簡易防水であっても、水滴が浸入することが少ないし、また、浸入しても下向きの合わせ目から容易に排出されて、光クロージャ内に水滴が溜まる恐れは少ない。これにより通信障害が発生する恐れが少なくなる。
【発明を実施するための最良の形態】
【００１３】
以下、本発明を実施した光クロージャ、及び、集合光ケーブルから加入者宅への光配線方法について、図面を参照して説明する。
【実施例１】
【００１４】
図１は本発明の一実施例の光クロージャ１の斜視図、図２は光クロージャ１を開いた状態で示した図である。この光クロージャ１は、図３、図７、図８に示すように、複数本の光ケーブル２を鋼心３の回りに単に撚り合わせて集合した架空の集合光ケーブル４から分岐させた１本の第１の光ケーブル２（２Ａ）と、これに光接続されて加入者宅６側に延びる延長光ケーブルである第２の光ケーブル５との光接続部を収納保護する小型の光クロージャである。なお、図７（イ）では集合光ケーブル４の断面における各光ケーブル２の配置を整然とした配置で示しているが、模式的に示したものであり、実際には不規則な配置となる。集合光ケーブル４を構成する各光ケーブル２は、図７（ロ）に示すように、中央の２本の光ファイバ心線２ａとその両側のテンションメンバ２ｂとをノッチ２ｃを持つ樹脂被覆２ｄで一体にしたいわゆるドロップケーブル構造である。加入者宅側に延びる延長光ケーブルである前記第２の光ケーブル５も、前記光ケーブル２と同じ構造（同じ断面）を持つ。
【００１５】
この光クロージャ１は、閉じ合わせた時に概ね円筒形状をなす２つの分割片８、９からなり、両分割片８、９が薄肉ヒンジ部７を介して開閉可能に一体連結された樹脂一体成形品である。各分割片８、９は、両端部に第１又は第２の光ケーブル２Ａ、５の被覆部２ｄ、５ｄを嵌合固定するための光ケーブル固定用溝１１、１２を有し、かつ、前記両端部を除く中間部分には、支持線固定構造や仕切りを持たない凹所１３、１４が形成されている。この凹所１３、１４は単なる角形の凹所であり、凹凸のない面からなる凹所である。両分割片８、９を閉じ合わせた時、図５にも示すように、支持線固定構造や仕切りを持たない単一の広い内部空間１５が形成される。
【００１６】
この光クロージャ１を用いて前記集合光ケーブル４から加入者宅に光ケーブルを引き落とす場合、集合光ケーブル４から分岐した１本の第１の光ケーブル２Ａと加入者宅側に延びる第２の光ケーブル５とを例えば融着接続等で光接続（光接続部を１７で示す）し、この光接続部１７を光クロージャ１の内部に収納するとともに、第１の光ケーブル２Ａ及び第２の光ケーブル５の被覆部２ｄ、５ｄを光クロージャ１の一方の分割片（図示例では分割片８）の光ケーブル固定用溝１１、１２にそれぞれ嵌合させ、両分割片８、９を閉じ合わせると、第１の光ケーブル２Ａの被覆部２ｄは両分割片８、９の図２で左方の光ケーブル固定用溝１１ａ、１２ａに嵌合固定され、第２の光ケーブル５の被覆部５ｄは両分割片８、９の図２で右方の光ケーブル固定用溝１１ｂ、１２ｂに嵌合固定される。図示は省略したが、両分割片８、９には閉じ合わせた時に互いに係合する係合部を備えている。
こうして、光クロージャ１は第１の光ケーブル２Ａと第２の光ケーブル５の光接続部１７を簡易な防水状態で収納保護する。
なお、光ケーブル２Ａ、５どうしの光接続部は、融着接続に限らず、光コネクタやメカニカルスプライスによる接続であってもよい。
【００１７】
次いで、この光クロージャ１を例えば図３〜図５に示すように、例えば結束バンド１８で集合光ケーブル４の鋼心３に結束固定する。この場合、図５にも示すように、２つの分割片８、９の合わせ目が下にくるようにして結束固定する。図示例の結束バンド１８は、細長いバンド１８ａの一端に、係合穴を持つ係合部１８ｂを形成した樹脂成形品であり、この係合部１８ｂの係合穴にバンド１８ａの一端側を通して締付けることで、結束することができる。
【００１８】
上記の光クロージャ１は、両端部に光ケーブル２Ａ、５の被覆部２ｄ、５ｄを嵌合固定するための光ケーブル固定用溝１１、１２を有するのみで、内部が支持線固定構造や仕切りを持たない単一の広い内部空間１５を有するものであるから、構造が極めて簡単であり、この光クロージャ１を樹脂成形するコストは安価である。
また、光クロージャ１は、集合光ケーブル４に沿う姿勢で結束バンド１８により当該集合光ケーブル４に結束固定されているので、水平な姿勢に保たれ、かつ、２つの分割片８、９の合わせ目１９を下にした姿勢に保たれる。
したがって、光クロージャが集合光ケーブルと加入者宅との中間で空中に浮いた状態となる従来配線方式と異なり、光クロージャ１の姿勢（傾き及び回転角度）が定まらないという問題は生じない。光クロージャ１が傾いていると、端部の光ケーブル固定用溝１１、１２から水滴が浸入し易いが、水平に保たれるので、水滴が浸入することは少ない。また、水滴が浸入しても、合わせ目１９が常に下向きに保たれるので、その合わせ目１９から容易に排出されて、光クロージャ１内に水滴が溜まる恐れは少ない。したがって、水滴が溜まることによる通信障害が発生する恐れは少ない。
【００１９】
光クロージャ１を結束バンド１８で集合光ケーブル４に結束固定する場合、図示例のように、鋼心３に結束するのが適切であるが、一部の光ケーブル２も一緒に結束固定することも可能であり、また、集合光ケーブル４の全体を囲むように結束固定することも可能である。
なお、結束バンド１８による締付けだけでは光クロージャの回転方向の姿勢が充分拘束されない場合には、光クロージャ１の回転方向の姿勢が変わらないように、光クロージャ１と集合光ケーブル４との間に物を充填した状態で結束することも可能である。
【実施例２】
【００２０】
図６に光クロージャ１を集合光ケーブル４に固定する他の実施例を示す。この実施例では結束バンド１８に代えて、光クロージャ１を、電線束縛（電線移動防止）に用いられているいわゆるケーブル縛り紐２１で集合光ケーブル４の鋼心３に結束固定している。
光クロージャを集合光ケーブルに固定する手段としては、これに限らず、光クロージャを姿勢（傾き及び回転角度）が変化しないように集合光ケーブルに固定可能な種々の細長い結束材、その他の固定部材を採用できる。
【図面の簡単な説明】
【００２１】
【図１】本発明の一実施例の光クロージャの斜視図である。
【図２】上記光クロージャの、開いた状態で示した斜視図である。
【図３】上記光クロージャを結束バンドで集合光ケーブルに固定した状態を示す図である。
【図４】図３における結束バンドによる固定部を拡大した図である。
【図５】図３のＡ−Ａ拡大断面図である。
【図６】光クロージャを縛り紐で集合光ケーブルに固定する実施例を示すもので、図５に相当する図である。
【図７】（イ）は上記実施例における集合光ケーブルの断面図、（ロ）は第１の光ケーブル又は第２の光ケーブルの断面図である。
【図８】上記光クロージャを用いて集合光ケーブルから加入者宅に分岐光配線する態様を模式的に示した図である。
【図９】従来の光クロージャの分解斜視図である。
【図１０】図９の光クロージャが対象とする光ドロップケーブルの断面図である。
【符号の説明】
【００２２】
１  光クロージャ
２  （集合光ケーブルを構成する）光ケーブル
２Ａ  第１の光ケーブル
２ｄ、５ｄ  被覆部
３  鋼心
４  集合光ケーブル（複数本の光ケーブルを撚り合わせた集合体）
５  第２の光ケーブル（延長光ケーブル）
６  加入者宅
７  薄肉ヒンジ部
８、９  分割片
１１（１１ａ、１１ｂ）  光ケーブル固定用溝
１２（１２ａ、１２ｂ）  光ケーブル固定用溝
１３、１４  凹所
１５  単一の広い内部空間
１７  光接続部
１８  結束バンド
１９  ２つの分割片の合わせ目
２１  ケーブル縛り紐
【図１】
2009020221.tif 000003
【図２】
2009020221.tif 000004
【図３】
2009020221.tif 000005
【図４】
2009020221.tif 000006
【図５】
2009020221.tif 000007
【図６】
2009020221.tif 000008
【図７】
2009020221.tif 000009
【図８】
2009020221.tif 000010
【図９】
2009020221.tif 000011
【図１０】
2009020221.tif 000012